(57)【要約】【課題】  中間転写体の上方のスペースを活用することによりトナー回収容器の容量を確保し、画像形成装置の大型化を低減することが求められていた。【解決手段】  画像情報に応じたトナー像を感光体上に形成する画像形成部と、前記感光体から転写された前記トナー像を担持する中間転写体と、前記中間転写体上の前記トナー像を記録材に転写する転写部と、前記中間転写体上に残留したトナーを回収するクリーニング部と、前記クリーニング部から搬送されたトナーを回収するトナー回収容器と、を備え、前記トナー回収容器は、前記中間転写体の上方に配置されている画像形成装置を提供するものである。【選択図】  図１
2019139062.tif 000002
【特許請求の範囲】
【請求項１】
画像形成装置の装置本体に対して着脱可能であり、画像情報に応じたトナー像を感光体上に形成する画像形成部と、
前記感光体から転写された前記トナー像を担持する中間転写体と、
前記中間転写体上の前記トナー像を記録材に転写する転写部と、
前記中間転写体上に残留したトナーを回収するクリーニング部と、
前記クリーニング部から搬送されたトナーを回収するトナー回収容器と、
前記トナー回収容器を露出する開位置と前記トナー回収容器を覆う閉位置とを移動可能なカバーと、を備え、
前記トナー回収容器は、前記中間転写体の上方に配置され、かつ
前記トナー回収容器は、前記カバーが前記開位置にある状態で画像形成装置の装置本体に対して着脱可能であり、前記トナー回収容器の着脱方向に見た場合に、前記画像形成部と重ならないことを特徴とする画像形成装置。
【請求項２】
画像情報に応じたトナー像を感光体上に形成する画像形成部と、
前記感光体から転写された前記トナー像を担持する中間転写体と、
前記中間転写体上の前記トナー像を記録材に転写する転写部と、
前記中間転写体上に残留したトナーを回収するクリーニング部と、
前記クリーニング部から搬送されたトナーを回収するトナー回収容器と、
画像形成された記録材を積載するため第１傾斜面を有する積載部と、を備え
前記トナー回収容器は、前記中間転写体の上方に配置され、かつ
前記トナー回収容器は、前記積載部の第１傾斜面に対応した第２傾斜面を有することを特徴とする画像形成装置。
【請求項３】
前記画像形成部は、画像形成装置の装置本体に対して着脱可能なカートリッジであり、
前記カバーが前記開位置にある状態において、前記装置本体に対して前記トナー回収容器と前記カートリッジとが着脱可能であることを特徴とする請求項１又は２に記載の画像形成装置。
【請求項４】
前記トナー回収容器の着脱方向に見た場合に、前記カートリッジと前記トナー回収容器は重ならないことを特徴とする請求項３記載の画像形成装置。
【請求項５】
前記トナー回収容器の着脱方向は、前記カートリッジの着脱方向と同一であることを特徴とする請求項３又は４記載の画像形成装置。
【請求項６】
前記クリーニング部は、トナーをトナー回収容器に搬送するトナー搬送部を有し、
前記トナー搬送部は、搬送されたトナーを前記トナー回収容器に排出する排出口を有し、
前記トナー回収容器は、前記排出口と係合する回収口を有し、
前記回収口は、前記トナー回収容器の上面に設けられていることを特徴とする請求項１から５のいずれか１項に記載の画像形成装置。
【請求項７】
前記回収口は、前記トナー回収容器の着脱方向において前記カバーから離れた側の前記上面に設けられていることを特徴とする請求項６に記載の画像形成装置。
【請求項８】
画像形成された記録材が積載される第１傾斜面を有する積載部を有し、
前記トナー回収容器は、前記第１傾斜面と対向した位置に第２傾斜面を有することを特徴とする請求項１に記載の画像形成装置。
【請求項９】
前記トナー回収容器は、トナーを回収する回収口を有し、
前記第２傾斜面は、前記回収口が配設された位置よりも下方に傾斜している傾斜面であることを特徴とする請求項８記載の画像形成装置。
【請求項１０】
前記感光体の長手方向における前記トナー回収容器の長さは、前記感光体の長手方向における前記中間転写体の長さより長いことを特徴とする請求項１から９のいずれか１項に記載の画像形成装置。
【請求項１１】
前記画像形成部は、複数のカートリッジから構成され、
前記複数のカートリッジの上方に、前記中間転写体が配置されていることを特徴とする請求項１から１０のいずれか１項に記載の画像形成装置。
【請求項１２】
前記トナー回収容器は、前記重力方向に見た場合に、前記中間転写体と重なる部分の割合が前記トナー回収容器全体を１００％とした場合に、少なくとも５０％から９０％になるように配置されていることを特徴とする請求項１から１１のいずれか１項に記載の画像形成装置。
【発明の詳細な説明】
【技術分野】
【０００１】
本発明は、複写機、プリンタなどの電子写真方式の画像形成装置に関し、特に、転写工において画像形成に使用されずに回収されたトナーを収容するトナー回収容器を備えた画像形成装置に関するものである。
【背景技術】
【０００２】
画像形成装置は、電子写真方式により紙や布などの記録材に画像を形成するものであり、電子写真式複写機、電子写真式プリンタなどがある。
【０００３】
このような画像形成装置のうち、感光ドラム、及び、感光ドラムに作用するプロセス手段を一体的にカートリッジ化し、画像形成装置の装置本体に着脱可能とするプロセスカートリッジ方式がある。このプロセスカートリッジ方式によれば、装置のメンテナンスをサービスマンによらず操作者自身で行うことができるので、操作性を向上させることができる。そのため、プロセスカートリッジ方式は、電子写真方式の画像形成装置において広く用いられている。
【０００４】
また、電子写真方式における複数色（カラー）の画像形成装置も広く用いられている。この場合、各色に応じた複数の感光ドラムを一列に配列し、各感光ドラム上に形成された各色のトナー像を中間転写体に順次重ね合わせてカラー画像を形成するインライン型のカラー画像形成装置が実用化されている。
【０００５】
ここで、中間転写体から用紙などの記録材に二次転写されず残留した転写残トナーは、クリーニング手段によって中間転写体から回収される。クリーニング手段としては、清掃部材であるクリーニングブレードを中間転写体に圧接し、中間転写体上の転写残トナーを掻き取る構成が知られている。掻き取られた転写残トナーは、画像形成装置内部に設けてあるトナー回収容器に回収される（特許文献１から４）。
【０００６】
トナー回収容器は、回収した転写残トナーで満杯になると、プロセスカートリッジと同様に新しいトナー回収容器と交換される。
【０００７】
昨今、オフィスにて使用される画像形成装置は、小型化、及び、省スペース化が求められており、プロセスユニットやトナー回収容器の交換作業において、操作者が画像形成装置の一方向からのみで対応できる構成が主流となっている（特許文献１）。
【０００８】
また、トナー回収容器は、満杯となった時点で交換する必要がある。そのため、トナー回収容器の交換頻度を低減することを考慮すると、ある程度大きな容積を持ったトナー回収容器が必要となる（特許文献２）。
【先行技術文献】
【特許文献】
【０００９】
【特許文献１】特開２０１４−２５９９４号公報
【特許文献２】特開２０１６−５７５４３号公報
【特許文献３】特開２０１１−２４８１６７号公報
【特許文献４】特開２０１７−１５８９６号公報
【発明の概要】
【発明が解決しようとする課題】
【００１０】
特許文献１は、画像形成装置の一方の側面に着脱可能に装着されたトナーカートリッジと、トナーカートリッジの下方に位置する回収容器とが開示されている。また、一方の側面に開閉可能に設けられ、開状態において、トナーカートリッジとトナー回収容器との着脱を可能にする側面開閉扉とを備えている。このような構成の場合、側面開閉扉を開状態にすることで、トナーカートリッジやトナー回収容器の交換作業を行うことが可能となる。一方、構成上、トナー回収容器の内側には、中間転写ベルトを含むプロセスユニットが配置されているため、トナー回収容器の配置スペースには制約がある。そのため、トナー回収容器の容積を大きくすることを考えた場合、外側へ容器を拡大する必要があり、画像形成装置の幅方向の大きさに影響を及ぼすこととなる。また、中間転写ベルトを含むプロセスユニットを交換する作業の際には、トナーカートリッジやトナー回収容器を取り外すことが必要となるため、交換作業が煩雑となる（図７）。
【００１１】
特許文献２は、画像形成装置のトナー回収容器として、装置本体に固定された固定用トナー回収容器と、装置本体に着脱可能な交換トナー回収容器と、を備えた構成が提案されている。特許文献２では、大容量のトナー回収容器を画像形成装置内の限られたスペースに配置するため、トナー回収容器は一列に配列したプロセスカートリッジに並んで、開閉カバーとプロセスカートリッジとの間に配置されている。そのため、トナー回収容器を大きくすると画像形成装置の幅方向の大きさに影響を及ぼすことになる（図８）。
【００１２】
このように、特許文献１や２では、中間転写体の上方のスペースを有効活用できていなかった。
【００１３】
そこで、中間転写体の上方のスペースを活用することによりトナー回収容器の容量を確保し、画像形成装置の大型化を低減する。
【課題を解決するための手段】
【００１４】
そこで、本発明は、
画像形成装置の装置本体に対して着脱可能であり、画像情報に応じたトナー像を感光体上に形成する画像形成部と、
前記感光体から転写された前記トナー像を担持する中間転写体と、
前記中間転写体上の前記トナー像を記録材に転写する転写部と、
前記中間転写体上に残留したトナーを回収するクリーニング部と、
前記クリーニング部から搬送されたトナーを回収するトナー回収容器と、
前記トナー回収容器を露出する開位置と前記トナー回収容器を覆う閉位置とを移動可能なカバーと、を備え、
前記トナー回収容器は、前記中間転写体の上方に配置され、かつ
前記トナー回収容器は、前記カバーが前記開位置にある状態で画像形成装置の装置本体に対して着脱可能であり、前記トナー回収容器の着脱方向に見た場合に、前記画像形成部と重ならない画像形成装置を提供するものである。
【００１５】
また、本発明は、
画像情報に応じたトナー像を感光体上に形成する画像形成部と、
前記感光体から転写された前記トナー像を担持する中間転写体と、
前記中間転写体上の前記トナー像を記録材に転写する転写部と、
前記中間転写体上に残留したトナーを回収するクリーニング部と、
前記クリーニング部から搬送されたトナーを回収するトナー回収容器と、
画像形成された記録材を積載するため第１斜面を有する積載部と、を備え
前記トナー回収容器は、画像形成装置の装置本体に対して着脱可能であり、前記中間転写体の上方に配置され、かつ
前記トナー回収容器は、前記積載部の第１傾斜面に対応した第２傾斜面を有する画像形成装置を提供するものである。
【発明の効果】
【００１６】
本発明によれば、中間転写体の上方のスペースを活用することによりトナー回収容器の容量を確保し、画像形成装置の大型化を低減することが可能になる。
【図面の簡単な説明】
【００１７】
【図１】実施例に係る画像形成装置を説明する要部断面図である。
【図２】実施例に係るクリーニング装置を説明する要部斜視図である。
【図３】実施例に係るトナー回収装置を説明する要部断面図である。
【図４】実施例に係るトナー回収容器を説明する要部平面図である。
【図５】実施例に係る画像形成装置を説明する要部斜視図である。
【図６】実施例に係る画像形成装置を説明する要部断面図である。
【図７】従来の画像形成装置を説明する説明図である。
【図８】従来の画像形成装置を説明する説明図である。
【発明を実施するための形態】
【００１８】
以下に図面を参照して、この発明を実施するための形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものである。すなわち、この発明の範囲を以下の実施の形態に限定する趣旨のものではない。
【実施例１】
【００１９】
本実施例では、電子写真方式で４連ドラム方式のカラー画像形成装置を用いて説明する。ここで、画像形成装置は、外部から入力された画像情報に基づいてトナー像を形成し、紙などの記録材にカラー画像としてのトナー像を転写定着する装置である。例えば、複写機、レーザビームプリンタ、ファクシミリ装置などが含まれるが、本実施形態では、カラーレーザビームプリンタを例に説明する。
【００２０】
また、プロセスカートリッジは、プロセス手段として少なくとも現像手段と電子写真の感光体である感光ドラムとを一体的にカートリッジ化して画像形成装置の装置本体に着脱可能であるものを言う。ここで、装置本体とは、画像形成装置の構成から少なくともプロセスカートリッジを除いた装置構成部分のことである。
【００２１】
なお、以下の説明では、画像形成装置に向かって右側を画像形成装置の右面、向かって左側を画像形成装置の左面と称する。
【００２２】
［画像形成装置］
図１は、本実施形態における画像形成装置を正面側から見た場合の画像形成装置の概略構成を示す断面図である。
【００２３】
図１は、４つのプロセスカートリッジ７ａ、７ｂ、７ｃ、７ｄが直線上に並んだタンデム方式（又はインライン方式）のカラー画像形成装置である。画像形成部であるプロセスカートリッジの上方に、中間転写体である中間転写ベルトが配置され、さらにその上方にトナーを回収するトナー回収容器が配置されている。また、画像形成部であるプロセスカートリッジの上方に、中間転写ベルトをクリーニングするクリーニング部が配置され、クリーニング部の上方にトナー回収容器が配置されている。図１において、右側が右面で左側が左面となっている。
【００２４】
（１）トナー像の形成プロセス
トナー像の形成は、感光体である感光ドラム１、帯電手段２、露光手段３、現像手段である現像ユニット４により行なわれる。画像形成装置１００は、４個の感光ドラム１ａ、１ｂ、１ｃ、１ｄを備えている。それぞれの感光ドラム１の周囲には、その回転方向に従って、順に、感光ドラム１表面を均一に帯電する帯電手段２（２ａ、２ｂ、２ｃ、２ｄ）、画像情報に基づいてレーザを照射し感光ドラム１上（感光体上）に静電潜像を形成する露光手段３が配設してある。また、静電潜像にトナーを付着させトナー像として顕像化する現像ユニット４（４ａ、４ｂ、４ｃ、４ｄ）、感光ドラム１上（感光体上）のトナー像を中間転写ベルト１２ｅに転写する転写手段１２ａ、１２ｂ、１２ｃ、１２ｄがある。更に、転写後の感光ドラム１表面に残った転写残トナーを除去するクリーニング手段８（８ａ、８ｂ、８ｃ、８ｄ）が配設してある。
【００２５】
感光ドラム１、帯電手段２、現像ユニット４、及びクリーニング手段８は、各々一体的にカートリッジ化して、プロセスカートリッジ７（７ａ、７ｂ、７ｃ、７ｄ）としている。プロセスカートリッジ７は、それぞれ画像形成装置１００の装置本体に対して着脱可能に設けてあり、本実施例においては、画像形成装置１００の正面側に着脱することができる構成となっている。これら４個のプロセスカートリッジ７ａ、７ｂ、７ｃ、７ｄは同一構造であるが、イエロー（Ｙ）、マゼンダ（Ｍ）、シアン（Ｃ）、ブラック（Ｂｋ）のトナーにより異なる色の画像を形成する点で相違している。もちろん、ブラック（Ｂｋ）の使用量が多い場合を想定し、ブラック（Ｂｋ）のプロセスカートリッジを他の色のカートリッジよりも大きくした構成でもよい。
【００２６】
プロセスカートリッジ７ａ、７ｂ、７ｃ、７ｄは、主に、現像ユニット４ａ、４ｂ、４ｃ、４ｄとクリーニングユニット５ａ、５ｂ、５ｃ、５ｄによって構成されている。このうち前者の現像ユニット４ａ、４ｂ、４ｃ、４ｄは、現像ローラ２４ａ、２４ｂ、２４ｃ、２４ｄ、及びトナー容器を有している。後者のクリーニングユニット５ａ、５ｂ、５ｃ、５ｄは、感光ドラム１ａ、１ｂ、１ｃ、１ｄ、帯電手段２ａ、２ｂ、２ｃ、２ｄ、クリーニング手段８ａ、８ｂ、８ｃ、８ｄ、及び転写残トナー容器を有している。
【００２７】
感光ドラム１ａ、１ｂ、１ｃ、１ｄは、アルミニウム製シリンダの外周面に、有機光導伝体層（ＯＰＣ）を塗布して構成したものであり、その両端部をフランジによって回転可能に支持されている。感光ドラム１ａ、１ｂ、１ｃ、１ｄの一方の端部に駆動モータから駆動力を伝達することにより、図１の矢印に示す時計回り方向に回転駆動する。
【００２８】
帯電手段２ａ、２ｂ、２ｃ、２ｄは、ローラ状に形成された導電性ローラで、このローラを感光ドラム１ａ、１ｂ、１ｃ、１ｄ表面に当接させると共に、電源によって帯電電圧を印加して感光ドラム１ａ、１ｂ、１ｃ、１ｄ表面を一様に帯電させる。
【００２９】
露光手段３は、プロセスカートリッジ７（７ａ、７ｂ、７ｃ、７ｄ）の鉛直下方に配置してあり、画像信号に基づく露光を感光ドラム１ａ、１ｂ、１ｃ、１ｄに対して行なう。
【００３０】
現像ユニットのトナー容器には、それぞれイエロー（Ｙ）、マゼンダ（Ｍ）、シアン（Ｃ）、ブラック（Ｂｋ）の各色のトナーが収納してある。
【００３１】
現像ローラ２４ａ、２４ｂ、２４ｃ、２４ｄは、感光ドラム１ａ、１ｂ、１ｃ、１ｄ表面に隣接して配置してあり、駆動部により回転駆動されると共に、電圧を印加することにより、感光ドラム１ａ、１ｂ、１ｃ、１ｄ表面の潜像を現像する。
【００３２】
以上の構成により、感光体である感光ドラム１ａ、１ｂ、１ｃ、１ｄ表面に、Ｙ、Ｍ、Ｃ、Ｂｋのトナー像が形成される。感光体である感光ドラム１ａ、１ｂ、１ｃ、１ｄ表面に形成されたトナー像は、順次、中間転写体である中間転写ベルト１２ｅ表面へ一次転写される。その後、感光ドラム１ａ、１ｂ、１ｃ、１ｄ表面に残ったトナーは、クリーニング手段８ａ、８ｂ、８ｃ、８ｄによって除去され、クリーニングユニット５ａ、５ｂ、５ｃ、５ｄ内の転写残トナー容器に回収される。
【００３３】
（２）シート材への転写、定着プロセス
シート材Ｓへのトナー像の転写は、給紙装置１３によってシート材Ｓが二次転写部１５に搬送され、二次転写部１５にて行なわれる。中間転写ユニット１２は、一次転写プロセスにより形成されたトナー像を担持し、トナー像を二次転写部１５まで搬送する。定着装置１４は、二次転写部１５のシート材Ｓ搬送方向で下流側に位置し、シート材Ｓ上に転写されたトナー像を定着する。
【００３４】
まず、給紙装置１３、中間転写ユニット１２、定着装置１４の構成について説明する。
【００３５】
給紙装置１３は、主にシート材Ｓを収納する給紙カセット１１、給紙ローラ９、分離手段２３、シート材Ｓを挟持搬送するレジストローラ対１７から構成されている。給紙カセット１１は、画像形成装置１００から引き抜くことができる。ユーザは、給紙カセット１１を画像形成装置１００から引き出した後、給紙カセット１１にシート材Ｓをセットし、画像形成装置１００へ装着することで、シート材Ｓの補給を行なうことができる。
【００３６】
中間転写ユニット１２は、中間転写ベルト（中間転写体）１２ｅ、駆動ローラ１２ｆ、従動ローラ１２ｇ、一次転写手段である一次転写ローラ１２ａ、１２ｂ、１２ｃ、１２ｄ、クリーニング部であるクリーニング装置２２から構成されている。中間転写ベルト１２ｅは、無端円筒状のベルトで、駆動ローラ１２ｆ、従動ローラ１２ｇに張架されている。従動ローラ１２ｇは、図１の矢印に示すＥ方向に付勢手段により付勢され、中間転写ベルト１２ｅに所定の張力を付与している。駆動ローラ１２ｆが、モータなどにより回転駆動することで、中間転写ベルト１２ｅは、図１の矢印に示すＦ方向に所定の速度で回転する。各一次転写ローラ１２ａ、１２ｂ、１２ｃ、１２ｄは、各感光ドラム１ａ、１ｂ、１ｃ、１ｄに対向して中間転写ベルト１２ｅの内側に配設されている。このため、一次転写ローラ１２ａ、１２ｂ、１２ｃ、１２ｄに電圧を印加することによって、各感光ドラム１ａ、１ｂ、１ｃ、１ｄ表面に形成されたトナー像が、中間転写ベルト１２ｅ上に一次転写される。
【００３７】
定着装置１４は、主に定着フィルム１４ａ、加圧ローラ１４ｂ、加熱体１４ｃ、排紙ローラ対２０から構成されている。定着フィルム１４ａは、無端円筒状のベルトであり、定着フィルム１４ａの外周面が、シート材Ｓ上のトナー画像面側に配してある。加熱体１４ｃは、定着フィルム１４ａの内側に配置されており、加圧ローラ１４ｂが、定着フィルム１４ａを介して圧接している。加圧ローラ１４ｂが、駆動手段により回転駆動し、それに伴って定着フィルム１４ａが回転し、加熱体１４ｃにより定着フィルム１４ａは加熱される。
【００３８】
シート材Ｓの搬送方向において、定着フィルム１４ａの下流側には、排紙ローラ対２０、排紙トレイ２１が配置されている。排紙トレイ２１は、水平方向に対して傾斜している傾斜面２１ａを有している。傾斜面２１ａは、排紙ローラ対２０側が下がる方向に傾斜している。
【００３９】
次に、給紙装置１３、中間転写ユニット１２、定着装置１４の動作について説明する。
【００４０】
給紙ローラ９は、給紙カセット１１に収納されたシート材Ｓと圧接しており、所定の制御タイミングで回転することからシート材Ｓを送り出し、シート材Ｓが分離手段２３により一枚ずつに分離され給紙される。その後、シート材Ｓは、レジストローラ対１７によって二次転写部１５へと搬送される。また、４色のトナー像が中間転写ベルト１２ｅ上に重ねて転写、担持され、二次転写部１５まで搬送される。二次転写部１５では、二次転写手段１６にバイアスが印加され、中間転写ベルト１２ｅ上のトナー像が搬送されてきたシート材Ｓ上に転写される。二次転写後に、中間転写ベルト１２ｅ上に残ったトナーは、クリーニング部であるクリーニング装置２２によって除去され、画像形成装置１００内に配設されたトナー回収容器２６へ搬送される。二次転写部１５から搬送されたシート材Ｓが、定着フィルム１４ａと加圧ローラ１４ｂに挟持搬送され、トナー画像はシート材Ｓ上に加熱定着する。トナー画像が定着したシート材Ｓは、その後、排紙ローラ対２０により挟持搬送され、排紙トレイ２１に排出される。排紙トレイ２１は、複数枚のシート材Ｓを積載する積載部である。そのため、複数枚のシート材Ｓが排紙トレイ２１上に積載された状態で、後続のシート材Ｓが排出されても、シートの整列性を保つために積載部である排紙トレイ２１に傾斜面２１ａを設けている。これによって、積載されたシート材Ｓは傾斜しているため、排出されたシート材Ｓが積載されているシート材Ｓを押し出すことなく、整列性を保った状態で積載部である排紙トレイ２１上に積載される。
【００４１】
［クリーニング装置］
図２は、本実施例におけるクリーニング装置２２の一例を示すものである。
【００４２】
以下、クリーニング部であるクリーニング装置２２の構成について説明する。
【００４３】
クリーニング部であるクリーニング装置２２は、クリーニングブレード３０と、クリーニングブレードから掻き取られたトナーを収容するトナー収容部と、トナー収容部のトナーを搬送するトナー搬送手段３２を有する。また、クリーニング装置２２は、トナー収容部に収容されたトナーをトナー回収容器へ搬送するためのトナー搬送部であるトナー搬送路３１を有する。トナー搬送部であるトナー搬送路３１の先には、トナー回収容器に搬送されてきたトナーを排出するための排出口を有する。クリーニングブレード３０は、従動ローラ部１２ｇに張架した中間転写ベルト１２ｅに対向するように配置され、クリーニングブレード３０の先端部が中間転写ベルト１２ｅに所定の圧で当接している。トナー搬送部であるトナー搬送路３１内には、螺旋形状を有するトナー搬送手段３３が設けてある。トナー搬送手段３３は、モータ（不図示）などの駆動手段と連結されており、回転駆動することで、搬送方向下流側となる図２中矢印方向へトナーを搬送する。
【００４４】
次に、クリーニング装置２２の動作について説明する。
【００４５】
二次転写後に、中間転写ベルト１２ｅ上に残った転写残トナーは、クリーニングブレード３０により掻き取られる。掻き取られたトナーは、トナー収容部に一時的に収容される。その後、トナー搬送手段３２によりトナー収容部内のトナーがトナー搬送路３１に搬送される。トナー搬送路３１内のトナーは、トナー搬送路３１内のトナー搬送手段３３によって図２中矢印方向へ搬送され、排出口からトナー回収容器の回収口を通じてトナー回収容器２６に回収される。
【００４６】
［トナー回収装置］
図３は、本実施例におけるトナー回収装置２５の一例を示すものである。
【００４７】
以下、トナー回収装置２５の構成について説明する。
【００４８】
トナー回収装置２５は、トナー回収容器２６と、トナー回収容器にトナーが入る回収口（開口）２６ａ、から構成されている。トナー回収容器２６は、画像形成装置１００内で中間転写ベルト１２ｅの上方に配置されている。同様に、トナー回収容器２６は、クリーニング装置２２のクリーニンブレードやトナー収容部の上方に配置されている。このため、トナー回収容器は、画像形成装置１００の装置本体に対して、正面側に着脱可能に設けてある。トナー回収容器２６の上面には、回収口である開口２６ａが設けてあり、画像形成装置１００にトナー回収容器２６が装着された状態において、開口２６ａは、クリーニング装置のトナー搬送路３１の下流側に配設してある排出口３４と対向する。回収口である開口２６ａは、排出口と係合することにより、排出口からのトナーを回収口に漏れなく搬送することができる。排出口３４や開口２６ａは、画像形成装置１００内で正面側から遠い位置、即ち奥側に設けてある。別の言い方をすると、排出口３４や開口２６ａは、トナー回収容器を着脱するためにトナー回収容器を露出させるための開閉カバーから離れた位置に設けられている。トナー回収容器２６は、開口２６ａからトナーを回収する容器であり、画像形成装置１００の装置本体から脱離する際に開口２６ａをシャッタ部材が、開口を塞ぐことにより、本体から取り外した際にトナーがもれない構成となっている。
【００４９】
トナー回収容器２６の上面で、開口２６ａの反対側は傾斜面２６ｂ（第２傾斜面）となっている。傾斜面２６ｂ（第２傾斜面）は、図１に示すように、排紙トレイ２１の傾斜面２１ａ（第１傾斜面）と隣接するように設けてある。そのため、重力方向において、第２傾斜面である傾斜面２６ｂは、トナー回収容器の回収口である開口２６ａの位置から下方に傾斜している。このトナー回収容器２６の第２傾斜面である傾斜面２６ｂは、積載部である排紙トレイの第１傾斜面である傾斜面２１ａと対向するように設けている。これにより、中間転写ベルトの上方の空間を有効活用できる。
【００５０】
次に、トナー回収装置２５の動作について説明する。
【００５１】
トナー搬送路３１内を搬送されたトナーは、排出口３４よりトナー回収容器２６へ排出される。排出されたトナーは、トナー回収容器２６内に堆積する。堆積したトナーは、開口２６ａの直下を頂点とした山のような状態で堆積して行く。
【００５２】
ここで、トナー回収容器２６の上面側の一端に、傾斜面２１ａと隣接する傾斜面２６ｂを設けることにより、画像形成装置１００内の空間を有効に活用することが可能となり、トナー回収容器２６の容積を大きくすることができる。トナー回収容器２６に堆積するトナーは、山のような状態となるため、トナー回収容器２６内の傾斜面２６ｂの領域にもトナーは堆積する。
【００５３】
また、図１に示すように、プロセスカートリッジ７と中間転写ベルト１２ｅとを略水平に配列された画像形成装置１００においては、排紙トレイ２１の下側に、断面図において、略三角形の空間が形成される。このため、この空間を活用することにより画像形成装置１００の高さ方向の大きさに影響を及ぼすことなく、トナー回収容器２６を配設することが可能となる。
【００５４】
図１に示すように、画像形成装置１００内で、画像形成部などの主要部とトナー回収容器２６を断面図において重なり合わない配置とすることが可能である。このため、前後方向に大きくしても画像形成装置１００の大きさに影響を及ぼすことなく、トナー回収容器２６を大きくすることができる。違う表現をすると、トナー回収容器２６を着脱する着脱方向に見た場合に、トナー回収容器と画像形成部とが重なり合わない、同様に、トナー回収容器と中間転写体とも重なり合わないし、中間転写体と画像形成部とも重なり合わない。
【００５５】
図４は、トナー回収容器の一例を示すものである。本実施例においては、トナー回収容器２６を、中間転写ベルト１２ｅの前後方向の大きさと同等の大きさまでトナー回収容器２６を設けることで、トナー回収容器２６の容積を確保している。違う表現をすると、感光体である感光ドラムの長手方向におけるトナー回収容器の長さは、感光体の長手方向における中間転写体である中間転写ベルトの長さより長い。また、感光体である感光ドラムの長手方向において、トナー回収容器の長さは、中間転写ベルトの長さに対して９０％から１１０％程度の長さに対応していることが好ましい。中間転写ベルト上の空間を有効利用できるからである。
【００５６】
また、トナー回収容器は、前記重力方向に見た場合に、前記中間転写体と重なる部分の割合が前記トナー回収容器全体を１００％とした場合に、少なくとも５０％から９０％になるように配置されていることが好ましい。
【００５７】
［開閉カバーについて］
図５は、本実施例における開閉カバー１０の一例を示すものである。
【００５８】
開閉カバー１０は、画像形成装置１００の正面側に開閉可能に設けてある。開閉カバー１０が開状態において、ユーザはプロセスカートリッジ７やトナー回収容器２６にアクセスすることが可能となる。つまり、本実施例において開閉カバー１０は、開いた状態（開位置）で、プロセスカートリッジ７やトナー回収容器２６を露出する状態にし、閉じた状態（閉位置）で、プロセスカートリッジ７やトナー回収容器２６を覆う状態にしている。つまり、開閉カバー１０は、画像形成装置の装置本体に取り付けられ、トナー回収容器を露出する開位置と、トナー回収容器を覆う閉位置との間を移動可能に構成されている。
【００５９】
［プロセスカートリッジとトナー回収容器の交換操作について］
本実施例では、開閉カバー１０を開放することで、プロセスカートリッジ７やトナー回収容器２６の双方が着脱可能となるため、消耗品を交換する際の専有面積を必要以上に確保する必要がなく、省スペース化に繋がる。つまり、別々の開閉カバー１０を設けなくても１つの開閉カバー１０で対応が可能である。
【００６０】
また、プロセスカートリッジ７とトナー回収容器２６とは、図１に示すように、投影図において重なり合わない配置となっているため、各々が影響を及ぼし合うことなく、ユーザが個々に着脱することができるため、操作が煩雑になることはない（図５参照）。違う表現をすると、トナー回収容器２６を着脱する着脱方向に見た場合に、プロセスカートリッジ７とトナー回収容器２６とが重なり合わない。
【００６１】
ここで、ユーザがトナー回収容器２６を着脱する際、トナー回収容器２６を持つ必要が生じるが、トナーを回収する開口２６ａは、着脱方向の奥側に設けてある。このため、ユーザがトナー回収容器２６を着脱する作業中に、開口２６ａに直接触れることなく交換作業を完了することができる（図５参照）。
【００６２】
また、開口２６ａがトナー回収容器２６の上面側に設けてあるため、トナー回収容器２６の着脱作業で、トナー回収容器２６からトナーがこぼれ、画像形成装置１００内部や周囲をトナーで汚してしまうことを防止する構成となる。
【００６３】
以上、説明したように、画像形成装置１００に対して着脱可能に設けられたトナー回収容器２６を、画像形成装置１００内で、プロセスカートリッジ７と中間転写ベルト１２の上方に配置している。このため、交換作業において、それぞれの交換対象ユニットの着脱軌跡が干渉することなく、同一方向（本実施例においては画像形成装置の正面側）からの交換作業が可能となる。即ち、正面側の開閉カバー１０を開放することで、トナー回収容器２６とプロセスカートリッジ７の両方の交換作業を行うことができる。
【００６４】
また、画像形成装置１００の幅方向（図１の左右方向）や奥行方向（図１の感光体の長手方向）への大きさに直接影響を及ぼすことなく、トナー回収容器２６の大容量化を図ることが可能となる。
【００６５】
従って、装置を大型化することなくユーザビリティを確保することができ、トナー回収容器の交換操作性と画像形成装置の小型化を両立することが可能となる。
【００６６】
［その他］
これまでのトナー回収容器は、中間転写ベルトで転写されずに残ったトナーを回収していた。しかし、この構成に限定されるものではない。例えば、図６に示すように、感光ドラムに転写されずに残ったトナーをクリーニング容器で一時的に回収し、回収されたトナーをトナー搬送手段でトナー搬送路に送り、トナー搬送路を経由してトナー回収容器で回収する構成でもよい。この場合、中間転写ベルトで転写されずに残ったトナーと感光ドラムで転写されずに残ったトナーとの両方をトナー回収容器で回収可能である。図１に示すプロセスカートリッジのように一定の大きさのクリーニング容器を保有することが必要なくなるため、装置の小型化に寄与できる。また、プロセスカートリッジがクリーニング容器の廃トナーの量で交換する必要が生じていた場合は、トナー回収容器で一括回収できるため、プロセスカートリッジの交換頻度を下げることが可能になる。
【符号の説明】
【００６７】
１  感光ドラム
７  プロセスカートリッジ
１０  開閉カバー
１２  中間転写ユニット
１２ｅ  中間転写ベルト
２１  排紙トレイ
２１ａ  傾斜面
２２  クリーニング装置
２６  トナー回収容器
２６ａ  開口
２６ｂ  傾斜面
３４  排出口
Ｓ  シート材
１００  画像形成装置
【図１】
2019139062.tif 000003
【図２】
2019139062.tif 000004
【図３】
2019139062.tif 000005
【図４】
2019139062.tif 000006
【図５】
2019139062.tif 000007
【図６】
2019139062.tif 000008
【図７】
2019139062.tif 000009
【図８】
2019139062.tif 000010